(57)【要約】【課題】外部から扱室への２番物の侵入を防止し、該２番物に含まれる穀粒が扱室の後部で搬送穀稈に刺さり、機外に排出されるのを防止する。【解決手段】扱室１２の下方側を区画する受網１１’の後部に、２番物還元筒４４の排出口４７から排出された２番物が、受網１１’に形成された漏下穴１１０を介して扱室１２内に侵入するのを防止する侵入防止部材４８を設け、扱室１２の外部から該扱室１２の後部に２番物が侵入して、該２番物に含まれる穀粒が扱室１２の後部で搬送穀稈に刺さってそのまま機外に排出される（いわゆる穀粒ロスとなる）のを防止する。【選択図】      図３
2005006575.tif 000002
【特許請求の範囲】
【請求項１】
扱胴が軸架された扱室の下方側を区画する受網と、該受網の下方に配置され穀稈搬送方向の前後に揺動自在な揺動選別体と、該揺動選別体の下方に配置され２番物を回収する２番樋と、該２番樋から前記２番物を揚上移送して前記揺動選別体の始端側へ排出する排出口を有する２番物還元筒と、を備えた脱穀装置において、
前記受網の後部に、前記排出口から排出された前記２番物が前記受網に形成された漏下穴を介して前記扱室内に侵入するのを防止する侵入防止部材を設けた、
ことを特徴とする脱穀装置。
【請求項２】
前記扱室の後部に、該扱室の側方に並設されかつ処理胴が軸架された処理室に連通する送塵口を形成すると共に、
該送塵口よりも後方に前記扱胴を延設し、該延設した扱胴の下方に複数の漏下穴が形成された受網を設け、該延設した扱胴と該受網とにより刺さり処理部を構成し、前記侵入防止部材により、前記刺さり処理部に２番物が侵入するのを防止した、
ことを特徴とする請求項１記載の脱穀装置。
【発明の詳細な説明】
【０００１】
【発明の属する技術分野】
本発明は、２番樋から２番物を揚上移送して揺動選別体の始端側へ還元する２番物還元筒を備えた脱穀装置に関し、詳しくは、前記２番物が還元される際に受網の網目から扱室内に侵入するのを防止する構造を備えた脱穀装置に関する。
【０００２】
【従来の技術】
脱穀装置において、扱室の下方に揺動選別体を前後揺動自在に支持し、該揺動選別体の下方に２番樋を設け、この２番樋に回収された２番物を揚上移送して前記揺動選別体上に再び還元するための２番還元筒が立設されている。この２番還元筒には、縦搬送ラセンが内装され、該縦搬送ラセンの上端部には、縦搬送された２番物を跳ね出させる羽根体が設けられている。そして、２番還元筒の上端部には、前記羽根体を収容すると共に、揺動選別体の上方に向けて開口する排出口が形成されていて、前記羽根体により跳ね出された２番物が前記排出口を通って揺動選別体上に還元されるようになっている（例えば特許文献１参照）。
【０００３】
【特許文献１】
特開平１０−４７７４号公報（第２頁、図１）
【０００４】
【発明が解決しようとする課題】
しかし、前述した特許文献１によると、２番還元筒の上端部に形成された排出口が、扱室の下方側を覆う受網の下端部よりも若干高い位置に開口しているため、前記排出口から羽根体により勢い良く跳ね出された２番物が受網の網目から扱室内に侵入するおそれがあった。しかも、その侵入箇所が扱室の終端付近であり、侵入した２番物は刺さり穀粒となり易く、これを扱室にて処理することは困難であった。更に、２番物が扱室内に多量に侵入した場合は、該扱室での再処理が必要となり、扱室での処理能力を低下させるという課題があった。
【０００５】
本発明は、斯かる課題を解決するためになされたもので、その目的とするところは、扱室の外部から該扱室への２番物の侵入を防止し、該２番物に含まれる穀粒が扱室の後部で搬送穀稈に刺さり、そのまま機外に排出されるのを防止し得る脱穀装置を提供することにある。
【０００６】
【課題を解決するための手段】
前記目的を達成するため、請求項１に係る発明は、扱胴（１３）が軸架された扱室（１２）の下方側を区画する受網（１１，１１’）と、該受網（１１，１１’）の下方に配置され穀稈搬送方向の前後に揺動自在な揺動選別体（２０）と、該揺動選別体（２０）の下方に配置され２番物を回収する２番樋（４０）と、該２番樋（４０）から前記２番物を揚上移送して前記揺動選別体（２０）の始端側へ排出する排出口（４７）を有する２番物還元筒（４４）と、を備えた脱穀装置（１０）において、
前記受網（１１’）の後部に、前記排出口（４７）から排出された前記２番物が前記受網（１１’）に形成された漏下穴（１１０）を介して前記扱室（１２）内に侵入するのを防止する侵入防止部材（４８）を設けた、ことを特徴とする。
【０００７】
請求項２に係る発明は、請求項１記載の脱穀装置において、前記扱室（１２）の後部に、該扱室（１２）の側方に並設されかつ処理胴（１７）が軸架された処理室（１８）に連通する送塵口（１６）を形成すると共に、
該送塵口（１６）よりも後方に前記扱胴（１３）を延設し、該延設した扱胴（１３）の下方に複数の漏下穴（１１０）が形成された受網（１１’）を設け、該延設した扱胴（１２）と該受網（１１’）とにより刺さり処理部（５０）を構成し、前記侵入防止部材（４８）により、前記刺さり処理部（５０）に２番物が侵入するのを防止した、ことを特徴とする。
【０００８】
［作用］
本発明によれば、受網（１１’）の後部に、排出口（４７）から排出された２番物が受網（１１）に形成された漏下穴（１１０）を介して扱室（１２）内に侵入するのを防止する侵入防止部材（４８）を設けたので、扱室（１２）の外部から該扱室（１２）の後部に２番物が侵入し、該２番物に含まれる穀粒が扱室（１２）の後部で搬送穀稈に刺さってそのまま機外に排出される、いわゆる穀粒ロスとなるのを防止することが可能となる。
【０００９】
なお、上述したカッコ内の符号は図面を参照するためのものであって、本発明を何ら限定するものではない。
【００１０】
【発明の実施の形態】
以下、図面に基づき本発明の実施の形態を説明する。
【００１１】
図１は、本発明が適用された脱穀装置の断側面図である。同図において、脱穀装置１０は、前側板１４と後側板１５、及び下方側を前後の受網１１，１１’で囲まれた扱室１２を有しており、該扱室１２内には、扱胴１３が装置の前後方向に軸架されている。扱室１２の前部には穀稈供給口５１が形成され、該穀稈供給口５１に連通して扱室１２の前面には扱口が形成されていて、該扱口に沿ってフィードチェン２５が配設されている。扱室１２の後部には、穀稈排出口２９が形成されていて、該穀稈排出口２９の後方には、排ワラ搬送装置３０が配設されている。排ワラ搬送装置３０の終端側の下方には、排ワラを切断処理するカッタ装置３５が取付けられている。
【００１２】
また、図１及び図２に示すように、扱口側と反対側の扱室１２の後部には、送塵口１６が形成されていて、該送塵口１６は、扱室１２の側方において該扱室１２と並設された処理室１８に連通している。そして、前記扱胴１３は、前記送塵口１６が形成された位置よりも後方にまで延設されている。また、前記処理室１８内には、前後方向に処理胴１７が軸架されている。
【００１３】
前記受網１１，１１’の下方には、扱胴１３の軸芯方向に沿って揺動選別体２０が前後に揺動自在に支持されており、該揺動選別体２０は、受網１１，１１’の下方に架設された揺動流板２１及びスイングシーブ２２と、該スイングシーブ２２の下方で１番樋３６の上方に臨ませて架設されたグレンシーブ２３と、該グレンシーブ２３の後端側に連設されたストローラック２４とを有している。
【００１４】
また、揺動選別体２０の前部下方には、唐箕ファン３１とその後方に横断流ファン３２、及び装置後部に排塵ファン３３が配設されていて、これら唐箕ファン３１、横断流ファン３２、及び排塵ファン３３によって、扱室１２の下方から排塵選別室３４に亘る選別風路が形成されている。更に、揺動選別体２０の下方には、前述のように１番ラセン３７が収容された１番樋３６が設けられ、該１番樋３６の後方で、前記ストローラック２４の下方に傾斜配置された２番流板３８の傾斜下端部に、２番ラセン３９が収容された２番樋４０が設けられている。１番樋３６に収容された穀粒は、揚穀筒４２を介して揚上移送され穀粒タンク４３に一時的に貯留される。
【００１５】
前記２番樋４０に収容された２番ラセン３９の搬送終端側には、２番物還元筒４４がやや傾斜して配設されていて、該２番物還元筒４４内には、下端部を伝動ケース４５に支持され上端部を軸承された縦搬送ラセン（図示せず）が収容されている。この縦搬送ラセンの上端部には、縦搬送された２番物を跳ね出す跳ね出し板４６が形成されている。また、２番物還元筒４４の上端部には、前記跳ね出し板４６を収容しかつ揺動選別体２０の上方に向けて開口する排出口４７が形成されている。そして、前記跳ね出し板４６により跳ね出された２番物は、前記排出口４７を通って揺動選別体２０上に還元されるようになっている。
【００１６】
以上において、本実施形態では、前記受網１１’の後部に、２番物還元筒４４の排出口４７から排出された２番物が受網１１’に形成された漏下穴１１０を介して扱室１２内に侵入するのを防止する侵入防止部材４８を設けている。
【００１７】
すなわち、図３に示すように、前記送塵口１６の後方に延設された扱胴１３の下方の受網１１’には、漏下穴１１０としての矩形状の網目１１ａ及び長円状の小穴１１ｂが複数形成されていて、このままの構成では、２番物還元筒４４の排出口４７から排出された２番物が漏下穴１１０としての網目１１ａや小穴１１ｂから侵入し易い構成となっている。そして、これら漏下穴１１０としての網目１１ａや小穴１１ｂから２番物が侵入すると、該２番物に含まれる穀粒が扱室１２の後部で搬送穀稈に刺さり、そのまま機外に排出されて穀粒ロスとなる。
【００１８】
そこで、本実施形態では、図３及び図４に示すように、前記受網１１’の後部に、ボルト４９により板状の侵入防止部材４８を取付け、この侵入防止部材４８により、２番物還元筒４４の排出口４７から排出された２番物が受網１１’に形成された前記漏下穴１１０を介して扱室１２内に侵入するのを防止している。すなわち、この侵入防止部材４８は、排出口４７から跳ね出し板４６を介して跳ね出された２番物が該侵入防止部材４８に衝突した後、これを揺動選別体２０の始端側に反射させる役目をなしている。
【００１９】
しかして、本実施形態では、図３に示すように、送塵口１６の後方に延設されかつ扱歯１３ａを有する扱胴１３と、該延設された扱胴１３の下方の受網１１’の漏下穴１１０とで刺さり処理部５０が形成されており、この刺さり処理部５０に２番物が侵入するのを侵入防止部材４８により防止している。そして、外部から扱室１２への２番物の侵入がなくなり、その分だけ扱室１２内の穀粒量が減るため、刺さり処理部５０においては、穀粒が搬送穀稈に刺さってできた刺さり穀稈を効率的に処理することができ、扱室１２における脱粒処理能力を増大させることができる。
【００２０】
なお、本実施形態では、前記受網として、送塵口１６よりも前方側の受網１１と、送塵口１６よりも後方側の受網１１’とを違う種類のものを隣接配置し、かつ後方の受網１１’の漏下穴１１０と、扱歯１３ａを有する扱胴１３との間で前記刺さり処理部５０を形成した場合について説明した。しかし、これに限らず、例えば前後の受網として同じ種類のもの、又は一体のものを用いても良く、そしてその後方の受網に前述した刺さり処理部５０を形成しても良い。
【００２１】
【発明の効果】
請求項１に係る発明によれば、受網の後部に、２番物還元筒の排出口から排出された２番物が受網に形成された漏下穴を介して扱室内に侵入するのを防止する侵入防止部材を取付けたことで、扱室の外部から該扱室への２番物の侵入を防止することができ、従来のように外部から扱室の後部に２番物が侵入し、該２番物に含まれる穀粒が扱室の後部で搬送穀稈に刺さり、そのまま機外に排出され穀粒ロスとなるのを防止することができる。また、外部から扱室への２番物の侵入がなくなることから、その分だけ扱室内の穀粒量が減り、扱室における脱粒処理能力を増大させることができる。
【００２２】
請求項２に係る発明によれば、扱室の後部に送塵口を形成すると共に、該送塵口よりも後方に扱胴を延設し、該延設した扱胴の下方に複数の漏下穴が形成された受網を設け、該延設した扱胴と受網とにより刺さり処理部を構成し、前記侵入防止部材により、前記刺さり処理部に２番物が侵入するのを防止したので、外部から扱室の後部に２番物が侵入して穀粒ロスとなるのを防止することができると共に、前記刺さり処理部にて刺さり穀稈を効率的に処理することができる。
【図面の簡単な説明】
【図１】本発明に係る脱穀装置の全体断側面図である。
【図２】同上の扱室及び処理室の平面図である。
【図３】刺さり処理部の外観の斜視図である。
【図４】扱胴及び処理胴を機体後面から見た図である。
【符号の説明】
１０      脱穀装置
１１，１１’  受網
１１ａ    網目
１１ｂ    小穴
１１０    漏下穴
１２      扱室
１３      扱胴
１６      送塵口
１７      処理胴
１８      処理室
２０      揺動選別体
４０      ２番樋
４４      ２番物還元筒
４７      排出口
４８      侵入防止部材
５０      刺さり処理部
【図１】
2005006575.tif 000003
【図２】
2005006575.tif 000004
【図３】
2005006575.tif 000005
【図４】
2005006575.tif 000006